(57)【特許請求の範囲】
【請求項１】
分配加圧流体のための携帯式流量計測装置において、
プラットホームの中へ伸びるブラインドエンドバルブボアと、前記ブラインドエンドバルブボアの中央に位置する第１軸に沿って伸びる高圧流体通路と、前記ブラインドエンドバルブボアに接する第２軸に沿って伸びる低圧流体通路と、前記低圧流体通路から間隔を有して配設された前記プラットホームの中へ延びるリリースボアとで構成される前記プラットホームと、
前記ブラインドエンドバルブボア内に配設され、前記携帯式流量計測装置を通った加圧流体の流れを調節するための加圧流体に接続されるバルブと、
加圧流体の体積流量を測定するための加圧流体の流れの中に配設される流量計と、
前記リリースボア内に配設されたトリガーリリース機構と、
前記トリガーリリース機構に接続されるトリガーレバーであって、前記リリース機構と前記トリガーレバーとが回動可能となるようにそれぞれの端部同士が接続され、前記バルブはその先端部が前記トリガーレバーに当接し、前記トリガーレバーは、前記バルブを機械的に開けるために手動で変位させることができるよう構成され、前記トリガーリリース機構は、前記トリガーレバーが変位されたときに、前記トリガーレバーが前記バルブを開状態とすることを機械的に妨げるために選択的に作動する、トリガーレバーと、
前記流量計の出力を基に前記トリガーリリース機構を作動させるための、前記流量計および前記トリガーリリース機構に接続された計測電子部品と、で構成され、
前記携帯式流量計測装置は、さらに、ソレノイドと、第１の位置から第２の位置まで移動するために前記ソレノイドによって直線的に作動されるプランジャーピンと、前記第１の位置で前記プランジャーピンと解除可能に接続される第１終端と、前記トリガーレバーと回転可能に接続される第２終端とを有するトリップロッドと、を備え、
また、前記携帯式流量計測装置は、さらに、カラーと、前記カラーを通って延びる複数のボアと、前記複数のボアの中に配設される複数のボールベアリングと、を備え、
前記プランジャーピンは、第１の位置にあるときに前記トリップロッドの直線的な変位を抑制するために前記複数のボールベアリングを前記複数のボアの中に押し、
前記トリップロッドは、前記ソレノイドに向かって前記カラーに付勢するためのリリーススプリングを備え、
また、前記携帯式流量計測装置は、さらに、前記トリガーレバーの第１ピンから回転可能に延びるジャッキプレートと、前記トリガーレバーに向け前記ジャッキプレートに付勢するために前記第１ピンの周囲に配設されるロックスプリングと、前記トリガーレバーの第２ピンから前記ジャッキプレートに噛み合うために延びるラチェットプレートとで構成された、前記トリガーレバーと接続されるトリガーロックを更に備えることを特徴とする携帯式流量計測装置。
【請求項２】
前記トリップロッドは、分配バルブの作動線に平行な成分と垂直な成分とを有するベクトルに沿って前記トリガーレバーの変位をもたらすよう設けられていることを特徴とする、請求項１に記載の携帯式流量計測装置。
【請求項３】
前記プランジャーピンは、前記複数のボールベアリングに噛み合うための傾斜面を含むことを特徴とする、請求項１に記載の携帯式流量計測装置。
【請求項４】
前記カラーの前記複数のボアは、前記複数のベアリングの前記カラー内部への脱落を防ぐために、前記カラーで絞り込まれていることを特徴とする、請求項１に記載の携帯式流量計測装置。
【請求項５】
前記ソレノイドは、ラッチングソレノイドで構成されることを特徴とする、請求項１に記載の携帯式流量計測装置。
【請求項６】
前記計測電子部品は、加圧流体の予め設定された体積流量を前記流量計が計測した後に、前記第１の位置から前記第２の位置に前記プランジャーピンを作動させることを特徴とする、請求項１に記載の携帯式流量計測装置。
【請求項７】
前記計測電子部品は、通信網から許可を受け取った後に、前記第２の位置から前記第１の位置に前記プランジャーピンを作動させることを特徴とする、請求項１に記載の携帯式流量計測装置。
【請求項８】
プラットホームを含んで構成される分配加圧流体のための流量計測装置において、
加圧流体を受け入れるために前記プラットホームを通って延びる内部流体通路と、前記内部流体通路と交わるために前記プラットホームの中に延びる一端が閉塞されたバルブボアと、前記バルブボアと隣接する前記プラットホームを通って延びるリリースボアとを含む前記プラットホームと、
前記バルブボアから延び、直線的に作動するバルブステムを有し、前記バルブボアに配設され、前記内部流体通路を通って加圧流体の流れを調節するためのバルブと、
前記リリースボアの上の前記プラットホームに接続される第１の位置と第２の位置との間で直線的に作動するプランジャーピンを有するソレノイドと、前記リリースボアの中に延びるように前記ソレノイドから射出される前記プランジャーピンと、前記プランジャーピンと作動可能に接続される第１終端と、第２終端とを有し前記リリースボアの中に配設されるトリップロッドとを含み、前記リリースボアに接続されるリリース機構と、
前記バルブステムと噛み合うために延び、前記トリップロッドの前記第２終端に回転可能に接続されるトリガーレバーと、
前記トリップロッドの前記第２端への接近を制限するために前記プラットホームに接続され、前記リリースボアを覆うようにフランジブルカバープレートを保持し、前記フランジブルカバープレートを除去することで破壊される複数のタブを含む前記フランジブルカバープレートと、を含んで構成され、
前記第１の位置では、前記プランジャーピンは、前記トリップロッドの前記第２終端は、前記バルブを作動させるための前記トリガーレバーの作動可能とする回転固定位置を備えるように、前記トリップロッドの前記第１終端に接合され、
前記第２の位置では、前記プランジャーピンは、前記トリガーレバーの作動によって前記リリースボアの中で前記トリップロッドが滑動可能なように前記トリップロッドから接合が解除されることを特徴とする流量計測装置。
【請求項９】
更に前記トリップロッドは、
前記トリップエンドの第１終端に配設されるカラーと、
前記カラーを通って延びる複数のテーパ形状のボアと、
前記複数のテーパ形状のボアの中に配設される複数のボールベアリングと、を含み、
前記プランジャーピンは、前記プランジャーピンと前記リリースボアの間に前記複数のボールベアリングを押し込み、前記カラーの直線的な変位を抑制するために前記第１の位置に伸びることを特徴とする、請求項８に記載の流量計測装置。
【請求項１０】
前記ソレノイドに向かって前記カラーを偏らせるために前記リリースボアの中で前記トリップロッドを取り囲むリリーススプリングと、
閉位置に前記バルブを偏らせるために前記バルブボアの中で前記バルブステムと前記プラットホームとの間に配設されるバルブスプリングと、
前記トリガーレバーと第１ピンから回転可能に延びるジャッキプレートと、前記トリガーレバーに向かって前記ジャッキプレートに付勢するために前記第１ピンの周りに配設されるロックスプリングと、前記ジャッキプレートと噛み合うために前記トリガーレバーと前記第２ピンから延びるラチェットプレートとを有するトリガーロックと、を更に含んで構成されることを特徴とする、請求項９に記載の流量計測装置。
【請求項１１】
前記プランジャーピンの作動線は、前記リリースボアでの前記トリップロッドの移動が前記バルブステムの周りで前記トリガーレバーの回転を起こすように鋭角の角度で前記バルブステムの作動線と交差するように配設されることを特徴とする、請求項１０に記載の流量計測装置。
【請求項１２】
前記加圧流体の体積流量を計測するために内部流体通路の中に配設される流量計測部と、
ディスプレイと、ユーザーインターフェースと、通信電気回路とを有し、前記ソレノイドと前記流量計測部とに接続され、前記流量計測部を通った流体の流れを制限するための計測電子部品と、を更に含んで構成されることを特徴とする、請求項８に記載の流量計測装置。
【請求項１３】
前記計測電子部品は、前記流量計測部が前記加圧流体の予め設定された体積流量を計測した後に、前記第１の位置から前記第２の位置に前記プランジャーピンを作動することを特徴とする、請求項１２に記載の流量計測装置。
【請求項１４】
前記計測電子部品は、前記通信電気回路を通って許可を受信した後に、前記第２の位置から前記第１の位置に前記プランジャーピンを作動することを特徴とする、請求項１２に記載の流量計測装置。
【請求項１５】
請求項１に記載の携帯式流量計測装置において、
前記トリガーリリース機構は、
ソレノイドと、
前記ソレノイドに含まれ、第１延伸位置と第２収縮位置との間で直線的に作動し、前記ソレノイド内に配置された第１終端と、先端を有する第２終端と、前記第１端から前記第２端まで下降して、前記第１端と前記第２端との間に延びる傾斜軸とを含み、前記ソレノイドから出るプランジャーピンと、
トリップロッドの第１終端に配設され、前記プランジャーピンを受けるために構成される外径と内径とからなるカラーと、前記カラーを通って延び、それぞれに前記内径の第２終端と前記第２終端よりも大きな径を有する前記外径の第１終端とを備える複数のボアと、前記複数のボアの中に配設され、前記プランジャーピンが前記第１延伸位置にある時に前記傾斜軸の周囲の前記プランジャーピンを取り巻くように構成される複数のボールベアリングとを含み、前記プランジャーピンと解除可能に接続される第１終端と、前記トリガーレバーと接続される第２終端とを有する前記トリップロッドと、
前記ソレノイドに向かって前記トリップロッドに付勢するために前記カラーに隣接し、前記トリップロッドを取り囲むリリーススプリングと、を含んで構成されることを特徴とする携帯式流量計測装置。
【請求項１６】
前記複数のボアは、前記複数のボールベアリングが前記カラーに完全に移動することを防ぐために先細りにされることを特徴とする、請求項１５に記載の携帯式流量計測装置。
【請求項１７】
前記プランジャーピンは、前記複数のボールベアリングと接合するための傾斜端を含むことを特徴とする、請求項１５に記載の携帯式流量計測装置。
【請求項１８】
前記ソレノイドは、ラッチングソレノイドで構成されることを特徴とする、請求項１５に記載の携帯式流量計測装置。
【請求項１９】
前記加圧流体を受け取るために、前記プラットホームの外側に位置する第１入口終端と、前記ブラインドエンドバルブボアと交差するように前記プラットホームの中へ延びる第１注入端とで構成され、前記第１軸に沿って前記第１入口端から前記第１注入端へ延びる前記高圧流体通路と、
前記流量計測装置から前記加圧流体を流入するための前記プラットホームの外側に位置する第２注入端と、前記ブラインドエンドバルブボアと交差するように前記プラットホームの中へ延びる第２入口端とで構成され、前記第２軸に沿って前記第２入口端から前記第２注入端へ延びる前記低圧流体通路と、
前記高圧流体通路と前記ブラインドエンドバルブボアに沿って、前記低圧流体通路に隣接した前記プラットホームの中へ延びる前記リリースボアと、を備えることを特徴とする、請求項１に記載の携帯式流量計測装置。
【発明の詳細な説明】
【技術分野】
【０００１】
本発明は、流体分配計に係り、特にその様な装置のトリガーリリース機構に関する。
【背景技術】
【０００２】
携帯装置は、大きな容器から流体の計測量を分配するためにしばしば用いられている。例えば、自動車の給油所は、大きなドラム缶から自動車のエンジンの中に少量の潤滑油を分配するために携帯測定器をしばしば用いている。そのような携帯測定器や他の同様の流体分配装置は、バルブカートリッジの中に設けられた線形作動バルブステムを有する分配バルブを一般的に含んでいる。バルブカートリッジは、バルブカートリッジを通って、加圧流体の流れを調節するためにオペレータによってバルブステムが作動される間、流体分配装置の中で加圧流体源に液体的に接続されている。オペレータが一般的なトリガーレバー機構を通してバルブステムを作動させ続けている限り、流体を装置から継続的に分配することができる。携帯用メータは、流体の消費を監視するために、装置を通って流れる流体の量を計測及び表示する電子部品を一般的に含んでいるので、オペレータが仕事毎に正確に流体を分配することが許容される。
【０００３】
流体の消費における責務は、特に化石燃料のような材料費が上昇し続つづけているものにおいて関心が高まっている。流体在庫の制御を維持する一つの方法では、計測電子部品を通って遠隔制御されるトリガーロックアウト或いはソレノイド分配バルブのようなさまざまな分配制御機構を使用して携帯用メータから許可されていない流体の分配を防止している。
【発明の概要】
【発明が解決しようとする課題】
【０００４】
電気作動装置は、計測電子部品によってトリガーロックアウトで制御されている。そして、計測電子部品は、予め設定された流体の量が分配された後に、分配バルブの開き状態を抑制するためにトリガーレバーの通路の中に物理的障壁を移動するようにプログラミングされている。
【０００５】
しかしながら、トリガーロックアウトは、トリガーの通路の中に物理的障壁を移動することができる前にトリガーの解除を必要とする。このように、トリガーが作動したままである限り、予め設定された量の後に流体が流れることを許可し分配される。
計測電子部品は、電子トリガー機構の作動とは独立して流体を流すことを許可するためにソレノイドバルブをソレノイド分配バルブで制御している。このように、計測電子部品は、許可されたときのみに、分配を許可するための電子トリガー機構の機能を停止することができる。
【０００６】
しかしながら、そのようなソレノイドは、バルブを閉じたままに保持するばね力に打ち勝つために連続した電力消費を必要としている。このように、充電可能な電池の大きな需要電力が電子機器の電力消費に使用されている。
従って、特に流体計測装置に使用されるそれらのために分配制御機構の改良が必要である。
【課題を解決するための手段】
【０００７】
本発明は、加圧流体の分配するための携帯式流量計測装置に関するものである。前記携帯式流量計測装置は、プラットホームと、バルブと、流量計と、トリガーレバーと、トリガーリリース機構と、計測電子部品とで構成されている。前記プラットホームは、ブラインドエンドバルブボアと、高圧流体通路と、低圧流体通路と、リリースボアとで構成されている。前記ブラインドエンドバルブボアは、前記プラットホームの中へ延びている。前記高圧流体通路は、前記ブラインドエンドバルブボアの中央に位置する第１軸に沿って伸びている。前記低圧流体通路は、前記ブラインドエンドバルブボアに接する第２軸に沿って伸びている。前記リリースボアは、前記低圧流体通路から間隔を有して配設された前記プラットホームの中へ延びるように配設されている。前記バルブは、前記ブラインドエンドバルブボア内に配設され、前記携帯式流量計測装置を通る前記加圧流体の流れを調節するために前記加圧流体に接続されている。前記流量計は、前記加圧流体の体積流量を計測するために前記加圧流体の流れの中に配設されている。前記トリガーリリース機構は、前記リリースボア内に配設され、前記トリガーレバーに接続されている。前記トリガーレバーは、前記リリース機構と前記トリガーレバーとが回動可能となるようにそれぞれの端部同士が接続され、前記バルブはその先端部が前記トリガーレバーに当接し、前記トリガーレバーは、前記バルブを機械的に開けるために手動で変位させることができるよう構成されている。前記トリガーリリース機構は、前記トリガーレバーが変位されたときに、前記トリガーレバーが前記バルブを開状態とすることを機械的に防ぐために選択的に作動させる。前記計測電子部品は、前記流量計の出力に基づいて前記トリガーリリース機構を作動させるために、前記流量計および前記トリガーリリース機構に接続されている。
また、前記携帯式流量計測装置は、さらに、ソレノイドと、第１の位置から第２の位置まで移動するために前記ソレノイドによって直線的に作動されるプランジャーピンと、前記第１の位置で前記プランジャーピンと解除可能に接続される第１終端と、前記トリガーレバーと回転可能に接続される第２終端とを有するトリップロッドと、を備えている。
また、前記携帯式流量計測装置は、さらに、カラーと、前記カラーを通って延びる複数のボアと、前記複数のボアの中に配設される複数のボールベアリングと、を備えている。
前記プランジャーピンは、第１の位置にあるときに前記トリップロッドの直線的な変位を抑制するために前記複数のボールベアリングを前記複数のボアの中に押し、前記トリップロッドは、前記ソレノイドに向かって前記カラーに付勢するためのリリーススプリングを備えている。
また、前記携帯式流量計測装置は、さらに、前記トリガーレバーの第１ピンから回転可能に延びるジャッキプレートと、前記トリガーレバーに向け前記ジャッキプレートに付勢するために前記第１ピンの周囲に配設されるロックスプリングと、前記トリガーレバーの第２ピンから前記ジャッキプレートに噛み合うために延びるラチェットプレートとで構成された、前記トリガーレバーと接続されるトリガーロックを更に備えている。
【図面の簡単な説明】
【０００８】
【図１】本発明のトリガーリリース機構を用いた携帯式流体分配装置の斜視図である。
【図２】本発明のトリガーリリース機構と流体分配バルブを示す図１の携帯式流体分配装置の分解図の後方視図である。
【図３】本発明のトリガーリリース機構とトリガー分配機能を示す図１の携帯式流体分配装置の分解図の前方視図である。
【図４】図２及び図３のトリガーリリース機構の断面図である。
【図５Ａ】トリガーレバー機構が流体分配バルブを作動させることを許可するためにトリガーリリース機構が構成される図１の携帯用流体分配装置の断面図である。
【図５Ｂ】トリガーレバー機構が流体分配バルブを開けるためにトリガーリリース機構で回転される図１の携帯用流体分配装置の断面図である。
【図５Ｃ】トリガーリリース機構がトリガーレバー機構で流体分配バルブを作動させることを防ぐために構成される図１の携帯用流体分配装置の断面図である。
【発明を実施するための形態】
【０００９】
図１は、携帯式流体分配装置１０によって流体の分配を制限するために本発明のトリガーリリース機構を用いる携帯式流体分配装置１０の斜視図である。
携帯式燃料分配装置１０は、プラットホーム１２と、カバー１４と、高圧流体継手１６と、分配配管１８と、トリガーレバー２０と、ユーザーインターフェース２２と、ディスプレイ２４とで構成されている。
【００１０】
携帯式流体分配装置１０は、大容量の容器に貯蔵された流体を小容量の運搬に便利な容器へ分配を可能にするものである。例えば、一つの具体例として、携帯式流体分配装置１０は、貯蔵ドラムから車両のエンジンに少量の潤滑油を供給する時に潤滑油販売店で用いられる計量器を構成している。
【００１１】
高圧流体継手１６は、図示しない流体供給ホースを介して例えば空圧ポンプで加圧された大容量の容器に接続されている。
流体供給ホースの長さは、移動することが不可能な大容量の容器と携帯式流体分配装置１０とを届かせることを可能とし、携帯式流体分配装置１０を便利にするものである。
【００１２】
分配配管１８は、エンジンのクランクケース等の小容量の容器の開口部内に容易に挿入可能に構成されている。そして、容量を測定された流体は、分配配管１８により小容量の容器に分配される。
トリガーレバー２０は、プラットホーム１２のバルブを開けるためにオペレータによって変位される。そして、トリガーレバー２０は、分配配管１８で大きな容量の容器から小さい容量の容器に流体を分配している。
【００１３】
ユーザーインターフェース２２とディスプレイ２４は、カバー１４の中の電子部品と接続されている。そして、ユーザーインターフェース２２とディスプレイ２４は、オペレータが分配流体の容量、処理作業指令、請求額及び収集した情報等の表示、中央制御システムとの通信、その他の同様の機能を行うことを許可している。
【００１４】
本発明のトリガーリリース機構は、カバー１４の下で電子部品と接続され、プラットホーム１２に取り付けられている。また、トリガーリリース機構は、流体を分配するためのバルブの開き状態からトリガーレバー２０の変位を選択的に防止している。
【００１５】
例えば、一つの具体例として、オペレータは、作業指令を完了するための予め設定された流体の分配量が分配され後、トリガーリリース機構が作動するために電子部品にプログラムするためにユーザーインターフェース２２を使用している。更に他の具体例では、中央制御システムは、新しい作業指令が受信されるまで、トリガーレバー２０が作動しないようにトリガーリリース機構を作動するために電子部品と通信している。
【００１６】
図２及び図３は、図１の携帯式流体分配装置１０の分解図である。そして、図２は、シールリテイニングバルブ２６、流量計２８及びトリガーリリース機構３０が示される携帯式流体分配装置１０の後方視図である。また、図３は、カバー１４、流量計２８、トリガーリリース機構３０、バッテリ３１及びソレノイド３２が示される携帯式流体分配装置１０の前方視図である。
【００１７】
高圧流体継手１６は、スイベル締結具３３、フィルタ３４及びホースシュラウド３５で構成されている。また、高圧流体継手１６は、プラットホーム１２のハンドル部３６に接続されている。即ち、スイベル締結具３３の雄ネジは、高圧流体通路３９の雌ネジとハンドル部３６内で螺合されている。
【００１８】
ハンドル部３６は、トリガーレバー２０とシールリテイニングバルブ２６の予期しない作動を防ぐためのトリガーガード３７を含んで構成されている。また、トリガーガード３７は、パッド３８Ａ，３８Ｂを含んで構成されている。
シールリテイニングバルブ２６は、バルブカートリッジ４０と、バルブステム４２と、バルブスプリング４４とを含んで構成されている。また、シールリテイニングバルブ２６は、高圧流体通路３９と分配配管１８との間の流れを遮断するためにプラットホーム１２の中に配設されている。
【００１９】
流量計２８は、ギヤ４６と、カバー４８と、締結具４９とを含んで構成されている。
ギヤ４６は、高圧流体継手１６とシールリテイニングバルブ２６との間を流れている流体をひくために、ギヤボックス５０の中に配設されている。
ギヤボックス５０は、締結具４９によって固定されるカバー４８によって密封されている。
【００２０】
トリガーリリース機構３０は、トリップロッド５１と、リリーススプリング５２と、カラー５３と、ベアリング５４とを含んで構成されている。また、トリガーリリース機構３０は、トリップロッド５１の底がトリガーレバー２０に接触するようにリリースボア５５の中に配設されている。
【００２１】
トリガーレバー２０は、トリップロッド５１にトリガーピン５６によって回動可能に接続されている。また、トリガーレバー２０は、ガード５７によってプラットホーム１２の中に囲まれている。
ガード５７は、プラットホーム１２からガード５７を取り外すことにより破損する一度だけ取付可能なフランジブルタブ（frangible tab）５８を含んでいる。
【００２２】
トリガーレバー２０は、途中でバルブステム４２に噛み合うようにトリガーピン５６からハンドル部３６とトリガーガード３７との間のプラットホーム１２を通って延びている。
分配配管１８は、ノズル６０と、結合部６１とで構成されている。そして、分配配管１８は、プラットホーム１２の中の低圧流体通路６２に接続されている。詳しくは、カップリング６１の雄ネジは、低圧流体通路６２の雌ネジに螺合されている。
【００２３】
トリガーレバー２０は、流体を割合範囲より多く分配するためにシールリテイニングバルブ２６を作動させるものである。更にトリガーレバー２０は、分配配管１８に多くの流体を分配させるために移動される。また、トリガーレバー２０は、トリガーロック６３とスプリング６４を用いることにより、シールリテイニングバルブ２６が開いた状態の作動位置で保持されることができる。トリガーロック６３とスプリング６４は、ピン６５によってトリガーレバー２０に接続されている。
【００２４】
トリガーロック６３は、ラチェットプレート６６と噛み合っている。そして、トリガーロック６３は、トリガーピン５６でトリガーレバー２０に接続されている。
携帯式流体分配装置１０のシールリテイニングバルブ２６は、高い液体の圧力を用いることで可能となる１４ｇｐｍ（gallons per minute）［〜８８３．６ｃｃ／ｓ（cubic centimeters per second）］或いはそれ以上の高排出容積の液体を分配するための大きさにされている。高い流体の圧力は、携帯式流体分配装置１０が時間を節約するためにより速く流体を分配することができ、また、携帯式流体分配装置１０が容易に高粘着性流体を分配することができる。
【００２５】
計測電子部品に関連して、流量計２８は、トリガーレバー２０の操作によって正確な流体の量が的確に分配するためにシールリテイニングバルブ２６を通って流体が流れる量を監視するものである。また、計測電子部品に関して、トリガーリリース機構３０は、予め設定した流量が分配された後のトリガーレバー２０の不作動による過分配を防止し、新しい作業指示が受け取られるまで、トリガーレバー２０の不作動の維持による無許可の分配を防止するものである。
【００２６】
このように、携帯式流体分配装置１０は、流体の浪費と他のソースの在庫の減少を抑制するために計量された配分の使用と分配制御機構を調整するものである。
図４は、図２及び図３のトリガーリリース機構３０の断面の拡大図である。
【００２７】
トリガーリリース機構３０は、ソレノイド３２と、トリップロッド５１と、リリーススプリング５２と、カラー５３と、ベアリング５４と、トリガーピン５６と、プランジャーピン７０とで構成されている。組み立てに示すように、ソレノイド３２は、プラットホーム１２の中のリリースボア５５（図２参照）に取り付けられ形成されている。そして、トリップロッド５１は、トリガーピン５６でトリガーレバー２０に接続され、リリースボア５５を通って挿入されて形成されている。
【００２８】
ソレノイド３２は、ソレノイドハウジング７２と、首部７４と、首部７４を通ってソレノイドハウジング７２の中に延びるピン溝７６とを含んでいる。
首部７４は、雄ネジ７８を含んでいる。そして、首部７４は、ソレノイドハウジング７２とプランジャーピン７０をリリースボア５５（図２参照）の頂部に直線的に取り付けるためのプラットホーム１２の中のリリースボア５５の中に螺合されている。
【００２９】
プランジャーピン７０は、ピン溝７６の中に配設され、ピン溝７６の中で滑動しソレノイドハウジング７２の中を作動手段と相互作用するために構成されている。
ソレノイドハウジング７２は、第１の位置と第２の位置との間のピン溝７６の中でプランジャーピン７０を前後に動かすための電子作動機構を形成するために組み立てられる構成部品を備えている。
【００３０】
第１の位置では、図４に示すようにプランジャーピン７０は、首部７４に出るように伸ばされる。第２の位置では、プランジャーピン７０は、ソレノイドハウジング７２の中の作動手段によって首部７４の中に引き込められている。
一つの具体例では、ソレノイド３２は、電流が伸び位置でプランジャーピン７０を電磁的に偏らせるためにコイルに加えられ、電流が除去されたときに、ばね力が引き込み位置にプランジャーピン７０を横送りする従来のソレノイド作動機構からなる。
【００３１】
他の具体例では、ソレノイド３２は、伸び位置でばね力がプランジャーピン７０を偏らせ、引き込み位置で永久磁石がプランジャーピン７０を保持し、そして、電磁石が第１の位置と第２の位置との間にプランジャーピン７０を移行するために断続的に作動させられるラッチングソレノイドからなる。本発明に用いるのに適したラッチングソレノイドは、TLX Technologies, Waukesha, WIに譲渡されたWard et alの米国特許番号６，３９２，５１６に記述されている。ラッチングソレノイドを有する携帯式流体分配装置１０は、従来のソレノイドに要求されるような、流体を分配するためにソレノイド３２を作動させるための常に一定の出力を必要としていない。ソレノイド３２は、オペレータの指令或いは中央制御システムの処理のどちらか一方によって、プランジャーピン７０を作動させるために携帯式流体分配装置１０の計測電子部品に接続されている。
【００３２】
トリップロッド５１は、プランジャーピン７０と相互に作用するようにリリースボア５５の中に配設されている。特に、カラー５３は、伸び位置にプランジャーピン７０があるときにプランジャーピン７０と自由に作動するようにトリップロッド５１の第１端部に接続されている。トリップロッド５１の第２端部は、トリガーピン５６でトリガーレバー２０に接続されている。
【００３３】
リリーススプリング５２は、ソレノイド３２の首部７４と連動するようにトリップロッド５１を押すためにカラー５３とプラットホーム１２との間に片寄せられ、トリップロッド５１の周囲に配設されている。
カラー５３は、複数のベアリング５４のボールが配設される複数のボア８０を含んでいる。
【００３４】
一つの具体例では、カラー５３は、三つのベアリング５４と三つのボア８０とを含んでいる。
ボア８０は、例えば１２０°毎のようにカラー５３の周囲におおよそ等間隔で配設されている。ボア８０は、トリップロッド５１の中心線から円周方向の動きを引き起こすベアリング５４のボア８０の中心に沿う動きを制限するようカラー５３を通って延びる穴で構成されている。ボア８０は、プラットホーム１２との組立を容易にするために、カラー５３の中へのベアリング５４が落下することを抑制するための曲線的或いは他の様にカラー５３の内周近傍の内径を減らしたテーパ形状に形成されている。
【００３５】
例えば、一つの具体例では、ボア８０は、テーパ形状に形成するためにボールエンドミル加工で形成されている。他の具体例では、カラー５３の内周面或いは外周面を越えてベアリング５４が部分的に広がるようにベアリング５４の外径は、ボア８０の深さより大きくされている。
【００３６】
ベアリング５４は、カラー５３とプランジャーピン７０のエンゲージチップ８２とに部分的に入り込むためにボア８０から部分的に伸びることを可能にされている。また、ベアリング５４は、リリースボア５５と噛み合うためにカラー５３の外側のボア８０から広がることができる。
【００３７】
プランジャーピン７０は、ベアリング５４の間からプランジャーピン７０の除去及び挿入を容易にするためにエンゲージチップ８２の下方に向かって傾斜している。
図５Ａに関してさらに詳細に説明されるように、プランジャーピン７０のエンゲージチップ８２は、第１の位置或いは伸び位置でプランジャーピン７０によってリリースボア５５の中でトリップロッド５１を吊すためにリリースボア５５の壁に向かってベアリング５４をくさびで固定している。図５Ｃに関してさらに詳細に説明されるように、ベアリング５４は、第２の位置或いは引き込み位置でプランジャーピン７０によってトリップロッド５１がボア内で自由に浮動するためにボア８０の中で自由に浮動している。
【００３８】
図５Ａは、図１の断面５−５での流体分配弁を作動させるためにトリガーレバー２０を許可するためのトリガーリリース機構３０が構成されている携帯式流体分配装置１０の断面図である。
携帯式流体分配装置１０は、プラットホーム１２と、カバー１４と、高圧流体継手１６と、分配配管１８と、トリガーレバー２０と、ユーザーインターフェース２２と、ディスプレイ２４と、シールリテイニングバルブ２６と、流量計２８と、トリガーリリース機構３０と、電子部品８４とで構成されている。
【００３９】
シールリテイニングバルブ２６は、バルブカートリッジ４０と、バルブステム４２と、バルブスプリング４４とを含んで構成されている。
流量計２８は、ギヤ４６と、カバー４８と、締結具４９とを含んで構成されている。
トリガーリリース機構３０は、ソレノイド３２と、トリップロッド５１と、リリーススプリング５２と、カラー５３と、ベアリング５４と、トリガーピン５６とプランジャーピン７０とを含んで構成されている。
【００４０】
プラットホーム１２は、高圧流体通路３９を有するハンドル部３６と、（図５中の破線及び図３中の分配部８６の後方に示された）低圧流体通路６２を有する分配部８６とを含んで構成されている。
【００４１】
高圧流体通路３９は、高圧流体継手１６から分配配管１８までの流体を管理するためのシールリテイニングバルブ２６を通って低圧流体通路６２と流体連通している。また、高圧流体通路３９は、ハンドル部３６の中でプラットホーム１２を通って中央まで延びている。そして、高圧流体通路３９は、シールリテイニングバルブ２６と交差している。
【００４２】
低圧流体通路６２は、高圧流体配管３９と平行に、リリースボア５５を越えて分配配管１８にシールリテイニングバルブ２６から離れて延びている。
高圧流体継手１６は、ネジ締結部にて高圧流体通路３９の上流端に接続されている。
流量計２８のギヤ４６は、高圧流体通路３９の中間に位置するギヤボックス５０内に配設されている。
【００４３】
ギヤボックス５０は、カバー４８によって覆われて封鎖されている。
シールリテイニングバルブ２６とトリガーリリース機構３０は、それぞれプラットホーム１２に延びるバルブボア８７とリリースボア５５の中に配設されている。
【００４４】
バルブボア８７は、高圧流体通路３９におおよそ垂直に交差するようにおおよそ横切ってプラットホーム１２の中へ延びて形成されている。また、バルブボア８７の上部は、高圧流体通路３９の下流に接続するように形成されている。そして、バルブボア８７の下部は、低圧流体通路６２の上流に接続するように形成されている。
【００４５】
リリースボア５５は、高圧流体通路３９に関する垂直線から約５°ずれてプラットホーム１２の中に延びる。リリースボア５５は、高圧流体通路３９或いは低圧流体通路６２とは交差していない。
【００４６】
リリースボア５５の上部は、ソレノイド３２の首部７４を受けるためのシート８８を形成するためのネジ付座ぐりを含んで構成されている。リリースボア５５の中央部は、リリーススプリング５２とカラー５３とを滑らせて受け取り可能な大きさで形成されている。リリースボア５５の下部８９は、プラットホーム１２とカラー５３との間にリリーススプリング５２が位置するようにトリップロッド５１のみ滑らせて受け取り可能な大きさで形成されている。
【００４７】
結合部６１は、携帯式流体分配装置１０から分配配管１８まで流体を誘導するために低圧流体通路６２の下流端に接続するように形成されている。
流量計２８は、高圧流体継手１６とシールリテイニングバルブ２６との間の高圧流体通路３９の中に配設されている。一般に流量計２８は、ギヤボックス５０の中で高圧流体継手１６からの加圧流体の流れによって回転する容積式のギヤ４６の一式を含んで構成されている。
【００４８】
各ギヤ４６は、センサ或いは磁石９０を含んでいる。ギヤ４６の位置は、ギヤ４６の回転速度を測定するためのカバー４８の中に配設される電子部品によって検出される。
カバー４８は、ギヤ４６の回転速度を高圧流体通路３９を通過した流体の体積流量に変換することができる電子部品８４に接続されている。流量計２８に関する更なる詳細な説明は、「流体計量装置用インボリュートギヤ歯」と題する前記同時係属中の出願により得られ、ここに参照される。
【００４９】
シールリテイニングバルブ２６は、高圧流体通路３９と低圧流体通路６２との間で流量を調整するためにバルブボア８７内に配設されている。
バルブカートリッジ４０の雄ネジは、バルブステム４２に挿入されたバルブスプリング４４と、バルブカートリッジ４０に挿入されたバルブステム４２と共にプラットホーム１２の中でバルブボア８７に螺合されている。このように挿入されて、バルブスプリング４４は、プラットホーム１２の中でバルブボア８７の終端に固定されている。そして、バルブスプリング４４は、バルブカートリッジ４０に向かってバルブステム４２を一方向によせるように圧縮されている。
【００５０】
バルブカートリッジ４０は、バルブカートリッジ４０を通過することを防ぐためにバルブステム４２のリップと当接するリップ９１を含んで構成されている。
バルブステム４２の作動部９２は、トリガーレバー２０と当接するためにバルブカートリッジ４０を通ってバルブボア８７から延びている。さらに、シールリテイニングバルブ２６の詳細な説明は、「流体計測装置用シールリテイニングバルブ」と題する前記同時係属中の出願により得られ、ここに参照される。
【００５１】
トリガーリリース機構３０は、ソレノイド３２と、トリップロッド５１と、リリーススプリング５２と、カラー５３と、ベアリング５４と、プランジャーピン７０とを有している。また、トリガーリリース機構３０は、流体の閾値が流量計２８を通過した後にトリガーレバー２０を無効とするように構成されている。
【００５２】
ソレノイド３２は、トリップロッド５１と接続するためにリリースボア５５の中にプランジャーピン７０が伸びるようにプラットホーム１２の頂部に取り付けられている。
ソレノイドハウジング７２の首部７４は、ソレノイドハウジング７２がプラットホーム１２から延び上がり、ピン溝７６がリリースボアと直線に並べられるようにリリースボア５５の中に螺合されている。
【００５３】
プランジャーピン７０は、トリップロッド５１のカラー５３を作動可能に噛み合わせるためにピン溝７６から伸ばされている。
トリップロッド５１は、第１端部でプランジャーピン７０と第２端部でトリガーレバー２０と接続するためにリリースボア５５を通って延びている。
詳しくは、カラー５３のボア８０の中のベアリング５４は、第１端部でプランジャーピン７０と接続されている。そして、トリガーピン５６は、トリップロッド５１と第２端部でトリガーレバー２０とを通って延びている。
【００５４】
トリガーレバー２０は、シールリテイニングバルブ２６と接続するためにトリガーピン５６から一般に横に延びている。
トリガーロック６３は、ピン６５でトリガーレバー２０に接続されている。そして、ラチェットプレート６６は、トリガーピン５６でトリガーレバー２０に接続されている。
【００５５】
トリガーリリース機構３０は、トリガーレバー２０の作動のための固定回転部を提供することでプラットホーム１２に選択的にトリガーレバー２０を接続する。
ソレノイド３２は、携帯式流体分配装置１０を制御するためにプログラムを組めるソフトウェア、電子回路及びその他の部品を内蔵した電子部品８４に接続されている。
【００５６】
さらに、他の具体例では、電子部品８４は、携帯式流体分配装置１０がコンピュータシステムとの処理作業指令及び流体の消費量などの情報を送受信することができるように、有線ネットワーク、ワイヤレスネットワーク或いはラジオ放送網によって伝達するためのその他の部品を有している。また、携帯式流体分配装置１０は、ユーザーインターフェース２２と、ディスプレイ２４と、ソレノイド３２と、電子部品８４と、携帯式流体分配装置１０のその他の電装部品を作動させるためのバッテリ３１（図３参照）を有している。
【００５７】
ソレノイド３２は、プランジャー７０の位置をソレノイド３２内への吸引とリリースボア５５内への排出とを交互にするための電子部品８４で作動される２方向の電磁装置で構成されている。
ソレノイド３２は、電子部品８４が新しい作業指令のために通信網を経て許可を受信した後に、トリガーレバー２０による流体の手動分配を可能にするために作動させられる。ラッチングソレノイドを使用する具体例では、瞬間的な正電圧は、引き込み位置でプランジャーピン７０を保持するように、ソレノイドハウジング７２の中で永久磁石からプランジャーピン７０を解放するために電磁コイルに対し適用される。
【００５８】
図５Ａに示すように、電磁コイルの電磁力は、ばね力がプランジャーピン７０を伸び位置に偏らせることを可能とするための永久磁石の磁力に打ち勝っている。そのようにして、プランジャーピン７０は、カラー５３の中で相互に対してベアリング５４の移動が抑制されるように、ベアリング５４と噛み合い、カラー５３の中にベアリング５４を押し込んでいる。
【００５９】
ベアリング５４は、リリースボア５５の壁と噛み合うためにボア８０から部分的に伸びる。ソレノイド３２のばね力は、プランジャーピン７０とリリースボア５４との間でベアリング５４を押し込み分割するために十分に大きくなっている。このようにトリップロッド５１は、ベアリング５４によって下方への動きを、ソレノイド３２によって上方への動きを妨げられる。詳しくは、トリップロッド５１は、リリースボア５５の中でリリースボア５５の軸の位置に関連してトリガーピン５６でトリップロッド５１の第２端部が静止するようにベアリング５４から吊されている。従って、トリガーレバー２０は、トリガーピン５６の周りを回転可能となり、シールリテイニングバルブ２６を開くために作動することができる。
【００６０】
図５Ｂは、図１の断面５−５でのシールリテイニングバルブ２６のバルブステム４２を置き換えるためにトリップロッド５１の周りをトリガーレバー２０が回転されている携帯式流体分配装置１０の断面図である。詳しくは、トリガーレバー２０は、高圧流体通路３９から低圧流体通路６２の中に流体が流れることを許可し、バルブカートリッジ４０の中にバルブステム４２の作動部９２を押し込むためにオペレータによってハンドル部４０に向かって作動されている。トリガーピン５６とトリガーレバー２０によって得た機械的なレバレッジゲイン（Leverage gained）の固定位置は、バルブスプリング４４の反力より大きくすることが可能となる。具体例では、トリガーリリース機構３０のプランジャーピン７０は、ばね力或いはソレノイドハウジング７２の中のソレノイド機構で発生した電磁力によって伸び位置で保持されている。
【００６１】
プランジャーピン７０は、トリップロッド５１の下方への移動を防止するためにリリースボア５５に向かって押し付けてベアリング５４を保持している。
トリガーロック６３は、シールリテイニングバルブ２６の開状態で保持する位置にトリガーレバー２０をラチェットプレート６６が支持することに利用されるジャッキプレートを含んでいる。トリガーロック６３は、携帯式流体分配装置１０の管理の必要性のない大量の流体を分配するために著しく利便を良くしている。
【００６２】
トリガーレバー２０が回転して上げられるように、ラチェットプレート６６は、トリガーピン５６の周りを回転しトリガーガード３７に沿って滑る。その上、トリガーロック６３は、ピン６５でトリガーガード３７から引き上げられ、ラチェットプレート６６と噛み合うために下方向に回転する。
【００６３】
ラチェットプレート６６は、波形状或いはその他の凸形状を含んでいる。そして、トリガーロック６３は、補強されている。
ロックスプリング６４は、トリガーレバー２０に向かってトリガーロック６３が片寄るようにしている。しかし、ロックスプリング６４は、トリガーロック６３とラチェットプレート６６とのかみ合いにより妨げられる。
【００６４】
トリガーレバー２０は、このように分配配管１８から連続的に分配流体を流すためにバルブステム４２の作動部９２の上方にトリガーピン５６によってレバレッジゲインを通ってシールリテイニングバルブ２６を開状態に連続的に保持するために上方向に支持されている。
【００６５】
図５Ａに示すように、携帯式流体分配装置１０から流体の要求量が分配された後に、トリガーロック６３は手動で解除することができ、トリガーレバー２０はシールリテイニングバルブ２６を閉じるために手動で下げることができる。例えば、流量計２８と電子部品８４を使用して、ディスプレイ２４は、特定の作業指令のために携帯式流体分配装置１０の総分配流体容量を出力している。流体の要求量が分配された後に、オペレータは、容易にラチェットプレート６６からトリガーロック６３を解除し、トリガーレバー２０をトリガーピン５６の周りに回転することにより、バルブステム４２からトリガーレバー２０を解除する。バルブスプリング４４の力は、シールリテイニングバルブ２６を閉じるためにバルブカートリッジ４０の外にバルブステム４２の作動部９２を押し出している。しかしながら、本願発明のトリガーリリース機構３０は、トリガーレバー２０の作動位置に関わらずシールリテイニングバルブ２６を自動で閉めるために電子部品８４でソレノイド３２の作動することができる。例えば、ユーザーインターフェース２２とディスプレイ２４を使用して、オペレータは、流体の予め設定する分配容量を携帯式流体分配装置１０にプログラムすることができる。流体の設定した量が流量計２８によって計測されるように、流体の設定した量がシールリテイニングバルブ２６を通過した後、トリガーリリース機構３０は、カラー５３からプランジャーピン７０を引き込むために電子部品８４によって作動される。
【００６６】
図５Ｃは、図１の断面５−５でのトリガーレバー２０がシールリテイニングバルブ２６を作動させるのを防ぐためにトリガーリリース機構３０が構成されている携帯式流体分配装置１０の断面図である。
【００６７】
図５Ｃは、電子部品８４によって携帯式流体分配装置１０が予め設定した流体の量を分配したと判断した直後で、カラー５３からプランジャーピン７０を引き込むためにソレノイド３２が作動されている携帯式流体分配装置１０を示す。そのように、バルブステム４２とトリップロッド５１は、バルブスプリング４４によって下方向に抑えられ、トリガーレバー２０は、作動位置から非作動位置に変位している。
【００６８】
ラッチングソレノイドを使用する具体例では、瞬間的な負電圧は、伸び位置にプランジャーピン７０を傾けるスプリング力を越えるために電磁コイルに対し適用されている。
電磁コイルの電磁力は、ソレノイドハウジング７２の中で永久磁石と接続するためにプランジャーピン７０を押し込み、引き込み位置にプランジャーピン７０を保持している。
【００６９】
図５Ｃに示すように、電磁コイルの電磁力は、プランジャーピン７０がソレノイドハウジング７２の中で永久磁石と噛み合い、引き込み位置で保持されるためにプランジャーピン７０を押し込んでいる。
【００７０】
プランジャーピン７０のエンゲージチップ８２（図４参照）の傾斜面は、ソレノイド３２の力を減少させるためにプランジャーピン７０の上のベアリング５４から上方向への力の要素を構成することによってベアリング５４の間からプランジャーピン７０の引き込みを容易にする。プランジャーピン７０が引き込まれるときに、ベアリング５４は、互いに接触するためにカラー５３の中で後退することが許可される。
【００７１】
このように、ベアリング５４は、ボア８０の外側の端部を越えて広がらなく、リリースボア５５に対して押さえつけられない。このように、トリップロッド５１は、トリガーピン５６でトリガーレバー２０を回転点で固定せず、リリースボア５５の中で自由に滑ることができる。
【００７２】
バルブスプリング４４の力は、トリップロッド５１に沿って引っ張り、トリガーピン５６を押し、トリガーレバー２０をトリガーガード３７に向かって下げている。従って、トリガーピン５６は、バルブステム４２の作動部９２に関するトリガーレバー２０の機械的な利点を消し、作動部９２の下に配設される。
【００７３】
リリーススプリング５２は、トリガーレバー２０が解放された後に、ソレノイド３２の首部７４の噛み合いにトリップロッド５１を押し返すためにカラー５３とプラットホーム１２との間に配設されている。
バルブスプリング４４のばね力は、リリーススプリング５２のばね力と比べて大きく設定されている。
【００７４】
たとえトリガーレバー２０は部分的に作動されても、シールリテイニングバルブ２６は閉じられる。更にトリガーレバー２０の作動は、バルブスプリング４４を圧縮するための要因よりも、むしろ分配部９２の周りでトリガーレバー２０を回転させる。
トリガーリリース機構３０は、トリガーレバー２０の位置に関わらず作動する。
【００７５】
トリップロッド５１は、バルブステム４２を作動させるための能力を持つことによって、トリガーレバー２０の後方端の操作が妨げられるようにトリガーレバー２０の前方端を分離する。
従って、オペレータが作動位置でトリガーレバー２０を保持しているなら、カラー５３からプランジャーピン７０の引き込みは、ソレノイド３２から離れるトリップロッド５１を押すことをバルブステム４２に許可している。
【００７６】
トリガーレバー２０が解放されたなら、リリーススプリング５２からの上方への力がトリップロッド５１をソレノイド３２に向けて戻す。
図５Ｂに示すように、同様にトリガーロック６３が作動位置でトリガーレバー２０を保持するために配置されたなら、カラー５３からプランジャーピン７０の引き込みは、ソレノイド３２から離れるトリップロッド５１を押すことをバルブステム４２に許可する。そしてトリガーレバー２０が非作動位置に戻される。
【００７７】
プランジャーピン７０の後のバルブステム４２の下方への力は、トリップロッド５１の瞬間的な下方への移動を起こしこれを引き下げる。そして、リリースボア５５の角度の向きによって、バルブステム４２の作動部９２周りにトリガーレバー２０の回転移動を起こす。
【００７８】
トリガーレバー２０の瞬間的な角回転は、トリガーレバー２０の周囲のトリガーピン５６とピン６５の異なる位置によって、ラチェットプレート６６に関し、ラチェットプレート６６の波形状からトリガーロック６３を解放するために、トリガーロック６３の少しの適当な前方への移動を起こしている。
【００７９】
図５Ａに示すように、ロックスプリング６４は、使用可能なトリガーレバー２０がトリガーガード３７に向かって下げることを可能とし、トリガーレバー２０に向かってトリガーロック６３を引き上げる。そして、リリーススプリング５２は、同時にソレノイド３２に向かってトリップロッド５１を引き上げる。
【００８０】
どのような状況下でも、プランジャーピン７０がソレノイドハウジング７２の中に引き込まれている間には、カラー５３は、プランジャーピン７０に再び接触することができない。シールリテイニングバルブ２６を作動させるためのトリガーレバー２０の機能は、首部７４から再度プランジャーピン７０が伸ばされるまで取り戻されない。
携帯式流体分配装置１０からの分配は、電子部品８４のプログラミングによって再開される。
【００８１】
発明の一つの具体例では、電子部品８４は、携帯式流体分配装置１０によって次の作業指令が手動で処理できるように予めプログラムされた時間の経過後に、プランジャーピン７０を伸び位置に戻すためにプログラムされている。例えば、オペレータは、作業指令を果たす予め設定された流体の分配量を携帯式流体分配装置１０に設定するためにユーザーインターフェース２２を使用している。他の具体例では、電子部品８４は、オペレータによる手動的、或いは通信網上の中央制御システムによる自動的のいずれか一方から次の作業指令が受け取られるまで、ソレノイドハウジング７２の中でプランジャーピン７０を保持するためにプログラムされている。例えば、新しい作業指令は、受信指示がネットワークに接続するＰＣワークステーションのような中央制御システムを形成した後に電子部品８４によって自動的に処理される。この具体例は、更にオペレータによるトリガーレバー２０の操作或いは保持のいずれでも、中央制御システムからの承認を除いてシールリテイニングバルブ２６を開かないので、携帯式流体分配装置１０に携帯式流体分配装置１０から承認のない分配を防ぐ保安機能を提供している。そのうえ、トリップロッド５１とトリガーレバー２０との間のトリガーピン５６のリンケージは、プラットホーム１２の中でガード５７の後に隠されて保護されている。ガード５７は、フランジブルタブ５８（図２参照）を破損させることで無理やりにプラットホーム１２から取り除くことができる。従って、トリップロッド５１を不正操作することは、抑止効果を提供する目に見える証拠を残す。
【００８２】
いずれにしても、電子部品８４によって新しい作業指示が受け取られる時に、電子部品８４は、プランジャーピン７０を伸ばし、カラー５３とベアリング５４とを噛み合わせるためにソレノイド３２に適切な正電圧を適用する。
【００８３】
その後、トリガーレバー２０は、分配処理を開始するために作動させることができ、トリガーロック６３は、予め設定した量に達するまで、携帯式流体分配装置１０が流体を分配し続けることを許可するために使用され得る。流体の閾量が分配された後、電子部品８４は、リリースボア５５の中でトリップロッド５１が下方向に滑るようにし、トリガーロック６３を解除させ、トリガーレバー２０を不作動位置に戻させ、そしてシールリテイニングバルブ２６が閉じることで、携帯式流体分配装置１０からの流体の流れを止めるようカラー５３からプランジャーピン７０を引き込むためにソレノイド３２に負電圧を適用している。その後、トリガーレバー２０の操作によって携帯式流体分配装置１０から流体の分配は、トリガーリリース機構３０によって規制される。そして、流体の在庫に保安の追加を提供している。従って、トリガーリリース機構３０は、より卓越した流体在庫の制御を増やすためや在庫縮小の補助のための流体タンクレベルモニターのような他の在庫制御システムと結合させることができる。また、ラッチングソレノイドを使用することにより、本願発明は、強化された出力抑制能力を提供している。ソレノイド３２は、携帯式流体分配装置１０から流体を分配するための連続的な出力を必要とせず、単にプランジャーピン７０の位置を切り換えるため断続的な活動だけを要求する。
【００８４】
本発明は、好ましい実施例に関して述べたが、技術に精通した労働者であれば発明の趣旨および範囲からはずれることなく形式及び細部を変更し得ることは分かるであろう。
【符号の説明】
【００８５】
１０  携帯式流体分配装置
１２  プラットホーム
１４  カバー
２０  トリガーレバー
３０  トリガーリリース機構
【図１】
0005579711.tif 000002
【図２】
0005579711.tif 000003
【図３】
0005579711.tif 000004
【図４】
0005579711.tif 000005
【図５Ａ】
0005579711.tif 000006
【図５Ｂ】
0005579711.tif 000007
【図５Ｃ】
0005579711.tif 000008